(57)【要約】【課題】わかりやすく使用方法の説明を見ることのできる対話型処理システムを提供する。【解決手段】（ｑ）に示す画面で、「たすけて」と表示されたボタンを押すと、（Ｑ）に示すように、（ｑ）に示す処理選択画面の上に（ｑ’）に示す説明画面としてのヘルプ画面が重ねて表示される。ヘルプ画面には、（ｑ）に示す処理選択画面の中の各処理選択ボタンを押したときにどのような処理が実行されるかについて説明が表示されている。ヘルプ画面は、説明のための文字および処理選択ボタンの画像以外の部分が透明または半透明であり、この透明部分から処理選択画面の一部を見ることができる。そのため、画面には（ｑ）の処理選択画面と（ｑ’）ヘルプ画面を同一画面内に表示することができる。【選択図】図１３
2010003319.tif 000002
【特許請求の範囲】
【請求項１】
文字および画像を表示可能な表示部と、
前記表示部に表示される画面の任意の位置を押すことができる入力部と、
前記表示部および前記入力部の制御を行う制御部と、
複数の処理選択ボタンおよび説明ボタンが表示される処理選択画面を前記表示部に表示する手段と、
前記入力部で前記処理選択ボタンを押すことにより前記制御部が実行する処理を選択する手段と、
前記入力部で前記説明ボタンを押すことにより前記表示部に前記処理選択ボタンと前記処理選択ボタンの説明とを同一画面内に表示する手段と、を備えることを特徴とする対話型処理システム。
【請求項２】
前記説明ボタンを押すことにより、前記処理選択ボタンの説
明が表示された説明画面を前記処理選択画面の上に重ねて表示することを特徴とする請求項１に記載の対話型処理システム。
【請求項３】
前記説明画面は透明または半透明な領域を含むことを特徴と
する請求項２に記載の対話型処理システム。
【請求項４】
前記処理選択画面は少なくとも、印刷する画像の選択、印刷
する枚数の選択および印刷する大きさの選択を行うことを特徴とする請求項１〜３のいずれか一項に記載の対話型処理システムを用いた画像印刷システム。
【請求項５】
文字および画像を表示可能な表示部と、
前記表示部に表示される画面の任意の位置を押すことができる入力部と、
前記表示部および前記入力部の制御を行う制御部と、
複数の処理選択ボタンおよび説明ボタンが表示される処理選択画面を表示部に表示する手順と、
前記入力部で前記処理選択ボタンを押すことにより前記制御部が実行する処理を選択する手順と、
前記入力部で前記説明ボタンを押すことにより前記表示部に前記処理選択ボタンと前記処理選択ボタンの説明とを同一画面内に表示する手順と、を備えることを特徴とする対話型処理プログラムが記憶されたコンピュータ読み取り可能な記憶媒体。
【請求項６】
前記説明ボタンを押すことにより、前記処理選択ボタンの説
明が表示された説明画面を前記処理選択画面の上に重ねて表示することを特徴とする請求項５に記載の対話型処理プログラムが記憶されたコンピュータ読み取り可能な記憶媒体。
【請求項７】
前記説明画面は透明または半透明な領域を含むことを特徴と
する請求項６に記載の対話型処理プログラムが記憶されたコンピュータ読み取り可能な記憶媒体。
【請求項８】
前記処理選択画面は少なくとも、印刷する画像の選択、印刷
する枚数の選択および印刷する大きさの選択を行うことを特徴とする請求項５〜７のいずれかに記載の対話型処プログラムを用いた画像印刷プログラムが記憶されたコンピュータ読み取り可能な記憶媒体。
【発明の詳細な説明】
【技術分野】
【０００１】
本発明は画面上に表示される内容について使用者が指示することにより様々な処理を実行する対話型処理システムに関するものである。
【背景技術】
【０００２】
従来より、コンピュータに接続されたＣＲＴや液晶などの表示装置の画面に表示される内容に対して、使用者がマウス、タッチパネルなどの入力装置により画面に表示された選択ボタンを押して指示することにより様々な処理を実行することができる対話型処理システムが知られている。
【０００３】
このような対話型処理システムにより、キーボードからの入力をしたり、複雑な命令を覚えたりすることなく、簡単な操作でコンピュータを用いて様々な処理を行うことができる。
【発明の概要】
【発明が解決しようとする課題】
【０００４】
しかしながら、上記のような対話型処理システムでは、始めて使用する場合など、操作に慣れていない人が使用するときは、画面に表示される選択ボタンの役割がわかりにくい場合があるという問題があった。紙などに処理選択ボタンの説明を印刷する場合は、選択画面の数が多いと説明に必要な紙の枚数も多くなり、使用者が使用方法を調べるのに時間がかかるという問題があった。
【０００５】
画面の特定の位置を押すことにより、現在の選択画面に表示されている選択ボタンの役割を説明する説明画面を表示することも考えられるが、説明画面が表示されている間、選択ボタンが隠れたり、説明画面と選択ボタンとが別々の画面に表示されていると、説明と選択ボタンとの対応がわかりにくいという問題があった。
【０００６】
本発明は上記の問題を解決するためになされたものであり、その目的は、操作が簡単で、わかりやすく使用方法の説明を見ることのできる対話型処理システムを提供することにある。
【課題を解決するための手段】
【０００７】
本発明の請求項１に記載の対話型処理システムまたは請求項５に記載の対話型処理プログラムによれば、表示部に複数の処理選択ボタンおよび説明ボタンが表示される処理選択画面を表示し、入力部で前記処理選択ボタンを押すことにより制御部が実行する処理を選択し、入力部で説明ボタンを押すことにより表示部に処理選択ボタンと処理選択ボタンの説明とを同一画面内に表示する。そのため、わかりやすく処理選択ボタンの説明を見ることができる。
【０００８】
本発明の請求項２に記載の対話型処理システムまたは請求項６に記載の対話型処理プログラムによれば、説明ボタンを押すことにより、処理選択ボタンの説明が表示された説明画面を処理選択画面の上に重ねて表示するため、処理選択画面と説明の対応がわかりやすい。
【０００９】
本発明の請求項３に記載の対話型処理システムまたは請求項７に記載の対話型処理プログラムによれば、説明画面は透明または半透明な領域を含む。そのため、表示部に処理選択ボタンと説明とを同一画面内に表示することができる。
【００１０】
本発明の請求項４に記載の画像印刷システムまたは請求項８に記載の画像印刷プログラムによれば、処理選択画面は少なくとも、印刷する画像の選択、印刷する枚数の選択および印刷する大きさの選択を行う。そのため、簡単な操作で画像を印刷することができる。
【図面の簡単な説明】
【００１１】
【図１】本発明の一実施例によるプリント手順のフローチャートである。
【図２】本発明の一実施例による写真画像印刷システムの概略を示すブロック図である。
【図３】本発明の一実施例においてモニタに表示される画面を示す図である。
【図４】本発明の一実施例においてモニタに表示される画面を示す図である。
【図５】本発明の一実施例においてモニタに表示される画面を示す図である。
【図６】本発明の一実施例においてモニタに表示される画面を示す図である。
【図７】本発明の一実施例においてモニタに表示される画面を示す図である。
【図８】本発明の一実施例においてモニタに表示される画面を示す図である。
【図９】本発明の一実施例による画像のトリミングを説明する図である。
【図１０】本発明の一実施例による切り取りガイドの位置を説明する図である。
【図１１】本発明の一実施例によるシステム設定画面を示す図である。
【図１２】本発明の一実施例による自動設定画面を示す図である。
【図１３】本発明の一実施例によるヘルプ画面を示す図である。
【発明を実施するための形態】
【００１２】
以下、本発明の複数の実施例を図面に基づいて詳細に説明する。
【００１３】
本発明の対話型処理システムを適用した一実施例の写真画像印刷システムは、図２に示すように表示部としてのモニタ２０および入力部としてのマウス３０が接続された制御部としてのパソコン１０と、印刷部として、インクジェットプリンタなどのプリンタ４０とを備える。パソコン１０は中央処理装置（ＣＰＵ）と、主記憶装置としてのＲＡＭと、補助記憶装置としてのハードディスクなどを備える。パソコン１０のハードディスクなどにインストールされた印刷用コンピュータプログラムを実行することにより、モニタ２０への写真画像の表示、マウス３０による実行手順の選択、プリンタ４０による写真画像印刷などの制御を行う。このコンピュータプログラムは、フロッピー（登録商標）ディスク、ＣＤ−ＲＯＭ、光磁気ディスク（ＭＯ）などのコンピュータ読み取り可能な記憶媒体に記憶して提供され、パソコン１０のハードディスクなどにインストールされ、ＲＡＭに読み込まれてＣＰＵにより実行される。また、インターネットなどのネットワーク上でプログラムを提供し、プログラムを実行するコンピュータから離れた場所にプログラムを記憶することもできる。
【００１４】
写真画像データを記憶する記憶媒体としては、（１）デジタルスチルカメラ５０に脱着自在なメモリカード５１を、パソコン１０に内蔵された、または外付けされたカードリーダー７０に設けられたカードスロット７１に挿入して用いることや、（２）内蔵メモリを有するデジタルスチルカメラ５０をシリアルケーブル５２などでパソコン１０に接続し、内蔵メモリの内容をパソコン１０で読み取ることや、（３）パソコン１０に内蔵または外付けされたハードディスク１３やフロッピーディスク、ＣＤ−ＲＯＭ、ＭＯなどの記憶装置を用いることができる。
【００１５】
次に、本実施例の写真画像印刷システムを用いて写真をプリントするときの手順を説明する。図１は本実施例により使用者がプリントの指示を行う手順を示すフローチャートである。
【００１６】
使用者は、モニタ２０に表示された矢印形のポインタの位置をマウス３０を操作することにより自由に移動させることができる。以下、ポインタをモニタ２０に表示された画像に重ね合わせ、マウスのボタンを押すことをその画像を押すという。入力装置として、マウス３０の代わりにモニタ２０の画面上に設けられ、指などで押圧した位置を検出可能なタッチパネルを用いることもできる。この場合、タッチパネルのモニタに表示された画像に対応する位置を押すことをその画像を押すという。
【００１７】
本実施例の印刷プログラムを実行させると、図３の（ａ）に示すようなスタート画面が表示される（Ｓ１０１）。ここで、「はじめる」と表示されたボタンの画像を押すと、図３の（ｂ）に示すように、どこから写真画像データを読み込むかを選択する画面が表示される（Ｓ１０２）。処理選択ボタンとして、「メモリカード」と表示されたボタン、「ファイル」と表示されたボタンおよび「シリアル接続」と表示されたボタンの画像が表示されている。
【００１８】
「メモリカード」と表示されたボタンを押すと、写真画像データの読み込み先はメモリカード５１となり（Ｓ１０３）、メモリカードを挿入するように指示が表示される。「ファイル」と表示されたボタンを押すと、写真画像データの読み込み先をパソコン１０のハードディスクなどの記憶装置の中から選択する（Ｓ１０４）。「シリアル接続」と表示されたボタンを押すと、写真画像データの読み込み先はシリアルケーブル５２によりパソコン１０に接続されたデジタルスチルカメラ５０の内蔵メモリとなる（Ｓ１０５）。「シリアル接続」と表示されたボタンを押したときは、デジタルスチルカメラ５０の内蔵メモリに記憶された写真画像データをパソコン１０のハードディスクに保存するためのプログラムを実行し、写真画像データの読み込み先をパソコン１０のハードディスクとすることもできる。
【００１９】
図３の（ｂ）に示す画面で、「終わる」と表示されたボタンの画像を押すと、図３の（ｃ）に示すような終了確認画面が表示される。終了確認画面で、「キャンセル」と表示されたボタンの画像を押すと、直前に表示していた「終わる」を押したときの画面に戻る。「始めから」と表示されたボタンの画像を押すと、スタート画面に戻る。「終了」と表示されたボタンの画像を押すと、実行中の印刷プログラムを終了する。
【００２０】
図３の（ｂ）に示す画面で、「たすけて」と表示されたボタンの画像を押すと、現在表示中の画面の中の用語の説明や操作方法を説明するための説明画面としてのヘルプ画面が表示される。「もどる」と表示されたボタンの画像を押すと、１つ前の段階の画面が表示される。
【００２１】
この「終わる」、「たすけて」、「もどる」のボタンは、以後の行程で常に表示されており、同様の機能をもつ。
【００２２】
写真画像データの読み込み先が選択されると、読み込み先の記憶媒体から写真画像データが読み込まれる（Ｓ１０６）。写真画像データとともに記憶された写真画像の縮小データを用いて、縮小画像として複数のサムネイルをモニタ２０に表示させる。この行程では、縮小データのみを読み込みことも可能である。縮小データが存在しない場合は、写真画像データから縮小データを作成して表示させる。本実施例では、図４の（ｄ）に示すようにモニタの１画面に２０枚のサムネイル２０１を表示させる。
【００２３】
次に、インデックスプリントを行うかどうかの選択をする（Ｓ１０７）。モニタ２０に図４の（ｅ）に示すような画面が表示され、「しない」と表示されたボタンが押された場合はインデックスプリントをせずにステップＳ１０９へ行く。「する」と表示されたボタンが押された場合は、図４の（ｆ）に示すような画面が表示され、インデックスプリントのプリントサイズを指定する。プリンタ４０にセットしてある用紙に応じて用紙サイズを示すボタンの画像を押すことにより図５の（ｇ）に示す画面が表示され、１枚の用紙に２０枚ずつのサムネイル２０１をプリントするインデックスプリントが実行される（Ｓ１０８）。
【００２４】
本実施例では、Ａ４用紙、４×６用紙、Ａ６用紙のいずれかを用いることができる。Ａ４用紙は、２１０ｍｍ×２９７ｍｍのサイズにカットされている。４×６用紙は、１１４ｍｍ×１７５ｍｍのサイズにカットされ、四辺の縁にミシン目が設けられている。このミシン目で切り取ることにより１０２ｍｍ×１５２ｍｍのサイズ、すなわち、ほぼ４インチ×６インチの大きさとなる。Ａ６用紙は、１０５ｍｍ×１４８ｍｍのサイズにカットされている。インデックスプリント時には、写真画像データが記憶されている順番を示す写真番号が各写真画像の近傍に表示される。写真画像データに撮影日時のデータが含まれている場合は、撮影日時を示す文字を印刷することもできる。
【００２５】
次に、プリントしたい写真を選択する方法を選択する（Ｓ１０９）。図５の（ｈ）に示す画面において、「すべて」と表示されたボタンの画像を押すと、全ての写真を１枚ずつプリントするように設定して、Ｓ１１２へ行く。「選ぶ」と表示されたボタンの画像を押すとＳ１１０へ行き、「枚数指定」と表示されたボタンの画像を押すと、Ｓ１１１へ行く。
【００２６】
ステップＳ１１０では、図５の（ｉ）に示すような画面が表示され、使用者が写真のサムイネイルを押すことにより、その写真をプリントするかしないかを切り替えることができる。Ｓ１１０に入ったときは、全ての写真をプリントしないように設定されている。プリントしたい写真のサムネイルを押すことにより、そのサムネイル２０１の上に○印などのプリントするということを示す記号が表示され、そのサムネイルに対応した写真画像は１枚プリントするように設定される。○印のついたサムネイルをもう一度押すと、○印が消えて、プリントの指定が取り消される。図５の（ｉ）に示す画面には合計のプリント枚数も表示されている。
【００２７】
図５の（ｉ）に示す画面において、始めに全ての写真を１枚ずつプリントするように設定しておいて、サムネイルを押して選択した画像に×印などのプリントしないということを示す記号を表示することもできる。
【００２８】
メモリカードに２０枚以上の画像が記憶されていて、モニタ２０に全ての写真のサムネイルを表示できない場合は、写真は２０枚ずつ複数のシートに分配されて表示され、モニタ２０に次のシートを表示するための「次シート」ボタンと、前のシートを表示するための「前シート」ボタンが表示される。この「次シート」ボタンまたは「前シート」ボタンを押すことにより、表示するシートを切り替えることができる。１枚以上の写真をプリントするように指定して、「選択完了」と表示されたボタンを押すことにより、ステップＳ１１２へ行く。
【００２９】
ステップＳ１１１では、図６の（ｊ）に示すような画面が表示される。ステップＳ１１０における図５の（ｉ）に示す画面と同様に、前シート、次シートを表示させることが可能である。使用者が写真画像のサムイネイルを押すことにより、図６の（ｋ）に示すような画面に切り替わる。「増やす」と表示されたボタンを押すことにより、その写真画像のプリント枚数を１ずつ増加させることができ、「減らす」と表示されたボタンを押すことにより、その写真画像のプリント枚数を１ずつ減少させることができる。サムネイルをもう一度押すことにより、図６の（ｊ）に示す画面に戻ることができる。
【００３０】
また、「ズーム」と表示されたボタンを押すことにより、図６の（ｌ）に示すような画面に切り替わり、写真画像を拡大表示して内容を確認することができる。「左回転」または「右回転」と表示されたボタンを押すことにより、写真画像を左右に９０度ずつ回転させて表示させることもできる。「閉じる」と表示されたボタンを押すと、図６の（ｋ）に示す画面に戻る。「増やす」、「減らす」と表示されたボタンに代えて、「＋」、「−」と表示されたボタンや、上向きの矢印、下向きの矢印の形をしたボタンの画像を表示してもよい。「ズーム」と表示されたボタンに代えて、虫眼鏡の形をしたボタンの画像を表示してもよい。
【００３１】
また、図６の（ｊ）に示す画面で、「一括指定」と表示されたボタンを押すと、図６の（ｍ）に示すような画面が表示され、プリント枚数を１ずつ増減させることができる。「設定」と表示されたボタンを押すことにより全ての写真画像のプリント枚数を同じ枚数に設定することができる。「中止」と表示されたボタンを押すと、プリント枚数は「一括指定」のボタンを押す前の状態にもどり、図６の（ｊ）の画面に戻る。図６の（ｍ）に示す画面で全ての写真画像のプリント枚数を所定の数に設定した後に、図６の（ｋ）に示す画面で個々の写真画像のプリント枚数を設定してもよい。
【００３２】
図６の（ｊ）に示す画面には合計のプリント枚数も表示されている。１枚以上の写真画像をプリントするように指定して、「選択完了」と表示されたボタンを押すことにより、次のステップＳ１１２へ進む。
【００３３】
ステップＳ１１２では、モニタ２０に図７の（ｎ）に示すような画面が表示され、写真をプリントする用紙サイズを選択する。本実施例では、写真印刷用紙として、Ａ４用紙、４×６用紙、Ａ６用紙を用いて、カードサイズ、Ｅサイズ、Ｌサイズ、４×６サイズ、ＬＬサイズおよびＡ４（４Ｌ）サイズの写真をプリントすることができる。
【００３４】
カードサイズは８９ｍｍ×５５ｍｍの大きさであり、一般に用いられる名刺のサイズとほぼ同じである。本実施例では、プリント後にプリント領域の四辺の縁を１ｍｍずつ切り落として、周縁に余白が残らないようにしたときにカードサイズとなるように、写真画像は９１ｍｍ×５７ｍｍの大きさでプリントされる。この切り落とし部分を含んだ寸法を実プリントサイズという。
【００３５】
Ｅサイズは１１０ｍｍ×７４ｍｍの大きさであり、過去に標準的であった写真サイズとほぼ同じである。実プリントサイズは１１２ｍｍ×７６ｍｍである。
【００３６】
Ｌサイズは１２７ｍｍ×８９ｍｍの大きさであり、現在標準的な写真サイズとほぼ同じである。実プリントサイズは１２９ｍｍ×９１ｍｍである。
【００３７】
４×６サイズは１５２ｍｍ×１０２ｍｍの大きさであり、欧州で標準的な写真サイズとほぼ同じである。実プリントサイズは１５４ｍｍ×１０４ｍｍである。
【００３８】
ＬＬサイズは１７８ｍｍ×１２７ｍｍの大きさであり、Ｌサイズ２枚分の大きさである。実プリントサイズは１８０ｍｍ×１２９ｍｍである。
【００３９】
Ａ４サイズは２５４ｍｍ×１７８ｍｍの大きさであり、Ｌサイズ４枚分の大きさであるため４Ｌサイズともいう。実プリントサイズは２５６ｍｍ×１８０ｍｍである。
【００４０】
図７の（ｎ）または（ｐ）に示す画面において、「４×６」と表示されたタグの画像を押すと、４×６用紙にプリント可能な４×６サイズ、Ｌサイズ、Ｅサイズおよびカードサイズを示すボタンの画像が表示され、そのボタンを押すことにより、プリントサイズを選択することができる。４×６用紙に４×６サイズでプリントした場合は、４×６用紙のミシン目に沿って切断することにより、四辺の縁に余白のない写真を得ることができる。
【００４１】
図７の（ｎ）または（ｏ）に示す画面において、「Ａ４」と表示されたタグの画像を押すと、Ａ４用紙にプリント可能なＡ４サイズ、ＬＬサイズ、４×６サイズ、Ｌサイズ、Ｅサイズおよびカードサイズを示すボタンの画像が表示され、そのボタンを押すことにより、プリントサイズを選択することができる。
【００４２】
図７の（ｏ）または（ｐ）に示す画面において、「Ａ６」と表示されたタグの画像を押すと、Ａ６用紙にプリント可能なＬサイズ、Ｅサイズおよびカードサイズを示すボタンの画像が表示され、そのボタンを押すことにより、プリントサイズを選択することができる。
【００４３】
図７の（ｎ）、（ｏ）、（ｐ）に示す画面において、プリントサイズを示すボタンの画像には、用紙の大きさと用紙上でのプリント領域の関係を示す画像が表示されている。図７の（ｐ）に示すようにＡ４用紙の場合は１枚の用紙に、Ａ４サイズは１枚ずつ、ＬＬサイズと４×６サイズは２枚ずつ、Ｌサイズは４枚ずつ、Ｅサイズは３枚ずつ、カードサイズは８枚ずつの写真画像がレイアウトされる。
【００４４】
ステップＳ１１２に入ったときには、ステップＳ１０７のインデックスプリントで選択した用紙サイズに対応したタグの画像が押されたときの状態となるようにしてもよい。プリントサイズが選択されるとステップＳ１１３へ進む。
【００４５】
ステップＳ１１３では、図８の（ｑ）に示すような画面が表示される。「プリント開始」と表示されたボタンの画像を押すと、ステップＳ１１４へ進む。「オプション設定」と表示されたボタンの画像を押すと、図８の（ｒ）に示すような画面が表示され、印刷時のオプション設定をすることができる。
【００４６】
また、図８の（ｑ）に示す画面で、説明ボタンとしての「たすけて」と表示されたボタンを押すと、図１３の（Ｑ）に示すように、（ｑ）に示す処理選択画面の上に（ｑ’）に示す説明画面としてのヘルプ画面が重ねて表示される。ヘルプ画面には、（ｑ）に示す処理選択画面の中の各処理選択ボタンを押したときにどのような処理が実行されるかについて説明が表示されている。例えば、「オプション設定」と表示された処理選択ボタンの近傍には、「トリミング方法、情報のプリント、ガイドのプリントなどプリント時の設定を行います」と表示され、「プリント開始」と表示された処理選択ボタンの近傍には、「プリントを開始します。プリンタドライバの確認画面がでます」と表示され、「終わる」と表示された処理選択ボタンの近傍には、「ソフトを終了、または初めの画面に戻ります」と表示され、「もどる」と表示された処理選択ボタンの近傍には、「１ステップ前の画面にもどります」と表示されている。
【００４７】
ヘルプ画面は、説明のための文字および処理選択ボタンの画像以外の部分が透明または半透明であり、この透明部分から処理選択画面の一部を見ることができる。そのため、（Ｑ）に示す画面では（ｑ）の処理選択画面と（ｑ’）ヘルプ画面を同一画面内に表示することができる。（Ｑ）に示す画面で、画面上の任意の位置を押すと、（ｑ）に示す画面に戻る。
【００４８】
他の処理選択画面において「たすけて」と表示されたボタンを押した場合も同様にヘルプ画面が表示される。このようなヘルプ画面により、本実施例の画像印刷システムの操作に不慣れな使用者でも操作方法を容易に知ることができる。
【００４９】
デジタルスチルカメラにより撮影された写真画像は画素数が６４０×４８０や１０２４×７６８など、縦横比が３：４である場合が多い。それに対し、一般に用いられているＥサイズやＬサイズなどの写真プリントサイズは、縦横比が３：４とは異なっている。本実施例では、オプション設定をしない場合、または図８の（ｒ）に示す画面で「標準的なトリミング」が選択された場合、図９の（Ａ）に示すように写真画像データ（元データ）の長辺とプリント領域の長辺が対応するように元データを回転させた後、元データの縦横比がプリント領域の縦横比よりも小さい（１：１に近い）場合は元データの長辺とプリント領域の長辺を対応させ、元データの上下方向がトリミングされてプリントされる。元データの縦横比がプリント領域の縦横比よりも大きい場合は元データの短辺とプリント領域の短辺を対応させ、元データの左右方向がトリミングされてプリントされる。そのため、プリント領域内に余白ができるのを防ぐことができる。
【００５０】
また、使用者によっては、元データがトリミングされることなく全ての範囲をプリントしたいということも考えられる。その場合は、図８の（ｒ）に示す画面で「トリミングしない」を選択する。その場合、図９の（Ｂ）に示すように元データの縦横比がプリント領域の縦横比よりも小さい場合は元データの短辺とプリント領域の短辺を対応させ、元データの縦横比がプリント領域の縦横比よりも大きい場合は元データの長辺とプリント領域の長辺を対応させてプリントされる。そのため、元データがトリミングされることなく全てがプリントされる。
【００５１】
また、元データの縦横比とプリント領域の縦横比との差が小さい場合は標準的なトリミングをしたときにトリミングされる領域は小さいが、元データの縦横比（または横縦比）が大きいいわゆるパノラマ画像のデータを標準の写真サイズのプリント領域にプリントしようとすると、トリミングされる領域が大きくなる。本実施例では、「標準的なトリミング」を選択し、かつ、「パノラマ画像は自動的にパノラマ印刷」のチェックボックスを押してチェックを入れることにより、縦横比（または横縦比）が１：２よりも大きい画像データをパノラマ画像と判断する。図９の（Ｃ）に示すように、パノラマ画像でない画像については（Ａ）と同様のトリミングを行い、パノラマ画像については（Ｂ）と同様にトリミングを行わなわずにプリントすることができる。チェックボックスはもう一度押すことによりチェックを解除することができる。
【００５２】
図８の（ｒ）に示す画面では、切り取りガイドをプリントするか否かを選択することもできる。切り取りガイドは図１０に示すように写真画像のプリント領域の外側にプリントされる。切り取りガイドは、例えば、プリント領域の左右外側１ｍｍの位置から左右方向に長さ５ｍｍの直線がプリント領域の上下方向の縁から１ｍｍ内側の位置に設けられ、プリント領域の上下外側１ｍｍの位置から上下方向に長さ５ｍｍの直線がプリント領域の左右方向の縁から１ｍｍ内側の位置に設けられる。プリント終了後に、切り取りガイドに沿って用紙を切断することにより、プリント領域の四辺の縁が１ｍｍずつ切り落とされ、余白のない写真を得ることができる。そのため、写真のプリントサイズに合わせたミシン目が設けられていない用紙にプリントするときに特に有用である。
【００５３】
その他、図８の（ｒ）に示す画面では、写真番号、撮影日付、撮影時刻を写真画像と共にプリントするか否かを選択することもできる。
【００５４】
ステップＳ１１４では、図８の（ｓ）に示すような画面が表示され、写真のプリントが開始される。図８の（ｓ）に示す画面では、印刷中の写真画像と、プリントの開始から終了までのうち、現在の進行度を示すバーとが表示される。進行度を示すバーはプリントが開始されると左側から徐々に塗りつぶされ、全て塗りつぶされたときに全ての写真のプリントが完了する。プリントが完了すると、ステップＳ１０１に戻る。
【００５５】
各選択画面において、選択ボタンのいずれか１つの画像に「おすすめ」と表示するなど、推奨される選択肢であることを示す画像を表示させることもできる。これにより、本実施例の装置を始めて操作する人でも、途中でどの選択肢を選択するべきなのかが分からなくて作業が中断されることがなく、確実に写真をプリントすることができる。
【００５６】
本実施例では、ステップＳ１０１における図３の（ａ）に示すスタート画面で、画面上の複数の所定位置を所定時間内に押すことにより、モニタ２０に図１１に示すようなシステム設定画面８０を表示させることができる（Ｓ１１５）。例えば、５秒以内に画面の四隅近傍を続けて押すことにより、システム設定画面８０を表示させることができる。これにより、一般の使用者は操作の難しいシステム設定画面８０を表示することがなく、管理者などが詳細な設定をしたい場合にのみシステム設定画面８０を表示させることができる。
【００５７】
図１１に示すシステム設定画面８０では、「自動設定：」と表示された枠８１の中で、スタート画面で「はじめる」のボタンに加えて、自動設定実行用のボタンを表示するか表示しないかを設定することができる。また、「音声ガイド：」と表示された枠８２の中では、音声により操作方法を説明する音声ガイドが必要か不要か、あるいは選択画面をＳ１０２の前に表示して選択するかを設定することができる。また、「終了確認：」と表示された枠８３の中では、Ｓ１０２からＳ１１４の画面で表示される「おわる」ボタンを押したときに終了確認画面を表示するか、表示せずに終了するかを設定することができる。また、「読み込み先：」と表示された枠８４の中では、Ｓ１０２でデータ読み込み先の選択画面を表示するか、選択画面を表示せずにあらかじめ１種に固定するかを設定することができる。「ＯＫ」と表示されたボタン８５を押すと、設定を変更してスタート画面にもどる。「キャンセル」と表示されたボタン８６を押すと、設定を変更せずにスタート画面に戻る。
【００５８】
システム設定画面の「自動設定：」と表示された枠８１の中で、「設定…」と表示されたボタン８１１を押すことにより、図１２に示すような自動設定画面９０を表示し、スタート画面に表示される自動設定実行用のボタンを押した後の行程で表示される選択画面および省略する選択画面を設定することができる。ここでは、自動設定実行用のボタンに「いつもの」と表示するように設定しているが、自動設定実行用のボタンにされる文字（ボタン名称）は任意に変更することが可能である。
【００５９】
自動設定画面９０では、音声ガイドの選択、Ｓ１０２におけるデータ読み込み先の選択、Ｓ１０７におけるインデックスプリントの選択、Ｓ１０９における写真選択方法の選択、Ｓ１１２におけるプリントサイズの選択、Ｓ１１３におけるプリント確認などの各種選択画面を表示させて使用者に選択を行わせるか、選択すべき情報をあらかじめ固定しておき選択画面の表示を省略するかを設定することができる。例えば、自動設定画面９０において、「写真選択方法」と表示された枠９４の中で「選択」と設定することにより、スタート画面で「いつもの」ボタンを押したときには、Ｓ１０９で写真選択方法の選択画面が表示される。また、「写真選択方法」と表示された枠９４の中で「すべて」と設定することにより、スタート画面で「いつもの」のボタンを押したときには、常に全ての写真画像が１枚ずつプリントされる設定となり、Ｓ１０９は実行されず写真選択方法の選択画面は表示されない。
【００６０】
「デフォルト枚数」と表示された枠９５の中では、写真選択方法として「すべて」または「枚数指定」を選択したときに、始めに設定されるデフォルトのプリント枚数を設定することができる。
【００６１】
「音声ガイド」や「読み込み先」の設定が、自動設定画面９０の設定とシステム設定画面８０の設定とで異なる場合は、自動設定画面９０の設定が優先される。
【００６２】
自動設定画面９０で、「ＯＫ」と表示されたボタン９８を押すと、変更した設定を保存してシステム設定画面８０にもどる。「キャンセル」と表示されたボタン９９を押すと、変更した設定を元に戻しシステム設定画面８０に戻る。
【００６３】
上記のような自動設定画面により、例えば、図１２に示すように常に読み込み先の記憶媒体としてメモリカードを使用し、インデックスプリントを省略し、全ての写真を１枚ずつ４×６用紙に４×６サイズでプリントするように設定すれば、ステップＳ１０１のスタート画面で、「いつもの」と表示されたボタンを押し、メモリカードを挿入するだけで、全ての処理が実行され、必要な写真がプリントされるため、使用者の操作を非常に簡単にすることができる。
【００６４】
上記の本発明の実施例では、本発明の対話型処理システムを画像印刷装置に適用したが、商品の販売、交通機関の予約などを処理可能なその他の対話型処理システムに本発明を適用することも可能である。
【符号の説明】
【００６５】
１０    パソコン（制御部）、２０    モニタ（表示部）、３０    マウス（入力部）、４０    プリンタ（印刷部）、５０    デジタルスチルカメラ、５１    メモリカード（記憶媒体）。
【図１】
2010003319.tif 000003
【図２】
2010003319.tif 000004
【図３】
2010003319.tif 000005
【図４】
2010003319.tif 000006
【図５】
2010003319.tif 000007
【図６】
2010003319.tif 000008
【図７】
2010003319.tif 000009
【図８】
2010003319.tif 000010
【図９】
2010003319.tif 000011
【図１０】
2010003319.tif 000012
【図１１】
2010003319.tif 000013
【図１２】
2010003319.tif 000014
【図１３】
2010003319.tif 000015